(57)【要約】【課題】レンズバリアを開閉駆動させる駆動部材の配置を工夫しレンズバリアの確実な動作を確保しつつ小型化に寄与する構造のレンズ鏡筒を提供する。【解決手段】沈胴位置と撮影準備位置との間を光軸方向に進退するレンズ鏡筒１の先端に配され沈胴位置でレンズ前面を保護する閉位置に駆動され撮影準備位置でレンズ前面から退避した開位置に付勢駆動されるバリア部材２７ａ，２７ｂと、バリア部材を閉位置に駆動するために光軸方向に延出させて形成された第１の腕部５１を有し光軸周りに回動するバリア駆動部材１２ｅと、沈胴位置と撮影準備位置との間の進退に連動して光軸方向に移動し沈胴位置への移動時に第１の腕部に係合しバリア駆動部材を駆動しバリア部材を閉位置に位置させ、撮影準備位置への移動時に第１の腕部との係合を解除しバリア部材を開位置に位置させるべく光軸方向に延出させて形成された第２の腕部５２を有する移動枠１３とを具備する。【選択図】図３
2009169178.tif 000002
【特許請求の範囲】
【請求項１】
レンズバリア付きカメラにおいて、
沈胴位置と撮影準備位置との間を光軸方向に進退するレンズ鏡筒先端に設けられ、沈胴位置では先端のレンズ前面を保護する閉位置に駆動され、撮影準備位置では先端のレンズ前面から退避した開位置へと付勢駆動されるバリア部材と、
上記バリア部材を閉位置に駆動するために設けられ、光軸方向に延出するように形成された第１の腕部を有し光軸周りに回動するバリア駆動部材と、
沈胴位置と撮影準備位置との間で進退するのに連動して光軸方向に移動するように設けられ、沈胴位置への移動時には上記第１の腕部に係合し上記バリア駆動部材を駆動して上記バリア部材を閉位置に位置させる一方、撮影準備位置への移動時には上記第１の腕部との係合を解除して上記バリア部材を開位置に位置させるべく光軸方向に延出するように形成された第２の腕部を有する移動枠と、
を具備することを特徴とするレンズバリア付きカメラ。
【請求項２】
上記移動枠は、レンズを支持していることを特徴とする請求項１に記載のレンズバリア付きカメラ。
【請求項３】
レンズバリア付きレンズ鏡筒において、
沈胴位置と撮影準備位置との間を光軸方向に進退するレンズ鏡筒先端に設けられ、沈胴位置では先端のレンズ前面を保護する閉位置に駆動され、撮影準備位置では先端のレンズ前面から退避した開位置へと付勢駆動されるバリア部材と、
上記バリア部材を閉位置に駆動するために設けられ、光軸方向に延出するように形成された第１の腕部を有し光軸周りに回動するバリア駆動部材と、
沈胴位置と撮影準備位置との間で進退するのに連動して光軸方向に移動するように設けられ、沈胴位置への移動時には上記第１の腕部に係合し上記バリア駆動部材を駆動して上記バリア部材を閉位置に位置させる一方、撮影準備位置への移動時には上記第１の腕部との係合を解除して上記バリア部材を開位置に位置させるべく光軸方向に延出するように形成された第２の腕部を有する移動枠と、
を具備することを特徴とするレンズバリア付きレンズ鏡筒。
【請求項４】
上記移動枠は、レンズを支持していることを特徴とする請求項３に記載のレンズバリア付きレンズ鏡筒。
【発明の詳細な説明】
【技術分野】
【０００１】
この発明は、カメラ及びレンズ鏡筒、詳しくはレンズ鏡筒の先端部に設けられ被写体光束を通過させる開位置と同光束を遮蔽する閉位置との間で移動自在に設けられるレンズバリア機構を備えたカメラとレンズ鏡筒に関するものである。
【背景技術】
【０００２】
従来、写真撮影等をおこなうカメラや、このようなカメラに適用されるレンズ鏡筒においては、使用状態では被写体からの光束（以下、被写体光束という）を通過させる開位置に配置し、非使用状態では同光束を遮蔽する閉位置に配置するようにしたレンズバリア部材と、このレンズバリア部材の開閉駆動をおこなうレンズバリア開閉機構を備えたカメラやレンズ鏡筒が広く普及している。
【０００３】
このようなレンズバリア付きのカメラやレンズ鏡筒では、レンズバリアの開閉動作を手動によっておこなうものや、モータ等の駆動力により移動する枠部材の進退動作に連動させておこなうようにするものが、例えば特開平４−２２９８４５号公報，特開平８−２３４２９２号公報等によって、従来種々の提案がなされている。
【０００４】
上記特開平４−２２９８４５号公報によって開示されているレンズバリア付きレンズ鏡筒においては、ズームレンズ鏡筒を使用状態から沈胴状態へと変位させるときに、レンズ保持枠の繰り込み動作に連動させてシャッタユニットに対して回動自在に支持されるバリア開閉レバーを回動させ、同様にシャッターユニットに支持されるバリアリングを駆動させることにより、当該バリアリングを介してレンズバリアを閉状態とするように構成している。
【０００５】
上記特開平８−２３４２９２号公報によって開示されているレンズバリア付きカメラは、カメラ本体側に設けられメインスイッチに連動する操作部材と、この操作部材の移動に連動してレンズバリアを閉位置に駆動する中間連動部材とを設け、操作部材を撮影準備のためにスライド操作すると、この操作部材が中間連動部材を光軸に沿う方向であって前方に向けて移動させ、これによりレンズバリアを開状態とするように構成している。
【特許文献１】特開平４−２２９８４５号公報
【特許文献２】特開平８−２３４２９２号公報
【発明の開示】
【発明が解決しようとする課題】
【０００６】
ところが、上記特開平４−２２９８４５号公報による手段では、レンズバリアを開閉するための駆動力をレンズバリア開閉連バー，バリアリング等、複数の構成部材を介してレンズバリアへと伝達するようにしているので、機構自体が複雑化しており、また、その構成部品が多くなってしまうことから製造コストがかかるという問題点がある。
【０００７】
上記特開平８−２３４２９２号公報による手段では、メインスイッチに連動する操作部材の手動操作によってレンズバリアの開閉をおこなうようにしているので、機構が単純であり、その構成部品も少ないという利点がある。しかしながら、同公報による手段では、操作部材の操作をレンズバリアへと伝達するための中間連動部材は、カメラ本体側からレンズ鏡筒の最先端部分にまでの間に設ける必要がある。
【０００８】
つまり、当該手段によれば、レンズ鏡筒の最先端部分に配置されるレンズバリアの開閉駆動をおこなわせるための中間連動部材が、カメラ本体内部（もしくはレンズ鏡筒の基部近傍）に配設されることになる。したがって、この中間連動部材の寸法は、当該レンズ鏡筒が沈胴状態となったときの光軸方向の長さと略同等以上のの長さ寸法になるのは必然である。このことは、レンズ鏡筒内部における当該中間連動部材の占有空間を大きく確保する必要があり、よって、この構成を採用するとカメラやレンズ鏡筒の小型化設計に限界があるという問題点がある。
【０００９】
本発明は、上述した点に鑑みてなされたものであって、その目的とするところは、レンズバリア付きのカメラ及びレンズ鏡筒において、レンズ鏡筒の最先端部分に配設されるレンズバリアの開閉駆動をおこなうための駆動部材の配置を工夫して、レンズバリアの確実な動作を確保しながら、さらなる小型化に寄与することのできる構造のカメラ及びレンズ鏡筒を提供することである。
【課題を解決するための手段】
【００１０】
上記目的を達成するために、本発明によるカメラは、レンズバリア付きカメラにおいて、沈胴位置と撮影準備位置との間を光軸方向に進退するレンズ鏡筒先端に設けられ、沈胴位置では先端のレンズ前面を保護する閉位置に駆動され、撮影準備位置では先端のレンズ前面から退避した開位置へと付勢駆動されるバリア部材と、上記バリア部材を閉位置に駆動するために設けられ、光軸方向に延出するように形成された第１の腕部を有し光軸周りに回動するバリア駆動部材と、沈胴位置と撮影準備位置との間で進退するのに連動して光軸方向に移動するように設けられ、沈胴位置への移動時には上記第１の腕部に係合し上記バリア駆動部材を駆動して上記バリア部材を閉位置に位置させる一方、撮影準備位置への移動時には上記第１の腕部との係合を解除して上記バリア部材を開位置に位置させるべく光軸方向に延出するように形成された第２の腕部を有する移動枠と、を具備することを特徴とする。
【発明の効果】
【００１１】
本発明によれば、レンズバリア付きのカメラ及びレンズ鏡筒において、レンズ鏡筒の最先端部分に配設されるレンズバリアの開閉駆動をおこなうための駆動部材の配置を工夫して、レンズバリアの確実な動作を確保しながら、さらなる小型化に寄与することのできる構造のカメラ及びレンズ鏡筒を提供することができる。
【発明を実施するための最良の形態】
【００１２】
以下、図示の実施の形態によって本発明を説明する。
【００１３】
図１〜図７は、本発明の一実施形態を示す図であって、このうち、図１は本実施形態のレンズ鏡筒の構成を示す分解斜視図である。図２は本実施形態のレンズ鏡筒におけるレンズバリア開閉機構を含む主要構成部を取り出して示す要部分解斜視図である。なお、図２では一群枠１２の内部構成を表すために枠部材１２ａの一部を切断して示している。図３は図２で示す構成のうちレンズバリア開閉機構を分解して示す要部分解斜視図である。なお、上記図２では各枠部材をやや前方寄りの位置から見た状態を示しているのに対し、図３では各枠部材をやや後方寄りの位置から見た状態を示している。図４，図５は本実施形態のレンズ鏡筒におけるレンズバリア開閉機構を後方側から見た際の正面図であって、図４はレンズバリアの全閉状態を示し、図５はレンズバリアの全開状態を示している。図６，図７は本実施形態のレンズ鏡筒の一部を切り欠いて内部構造の一部を示す側面図であって、図６は当該レンズ鏡筒の沈胴状態を示し、図７は当該レンズ鏡筒の撮影準備状態（ワイド位置）を示している。
【００１４】
以下の説明においては、本実施形態のレンズ鏡筒における撮影光学系の光軸を符号Ｏで表す。この光軸Ｏに沿う方向において被写体側を前方とし、当該レンズ鏡筒における各枠部材が前方に向かう際の方向を繰り出し方向という。一方、同光軸Ｏに沿う方向において結像側を後方とし、各枠部材が後方に向かう際の方向を繰り込み方向という。
【００１５】
本実施形態のレンズ鏡筒は、カメラに適用されるものであって、光軸Ｏに沿う方向に伸長して当該レンズ鏡筒が適用されるカメラの筐体の前方に向けて伸長し突出して撮影動作をおこない得る形態、即ち撮影動作を待機している形態である使用状態の撮影待機状態と、光軸Ｏに沿う方向に短縮して同カメラの筐体内に収納されてレンズ鏡筒が撮影動作に供しない形態である非使用状態の沈胴状態との間でレンズ鏡筒の全長が伸縮自在に構成され、かつ撮影待機状態にあるときには短焦点位置（ワイド位置）と長焦点位置（テレ位置）との間で複数の枠部材を繰り出しまたは繰り込むことで変倍動作（ズーミング）を可能とする伸縮機構を有して構成されるズームレンズ鏡筒である。
【００１６】
簡略に言えば、本レンズ鏡筒は、沈胴位置と撮影準備位置との間を光軸方向に進退するように構成されるものである。
【００１７】
さらに、本レンズ鏡筒は、先端のレンズ前面を保護し被写体光束を遮蔽する閉位置と、先端のレンズ前面から退避して被写体光束を通過させる開位置との間で開閉自在に配設されるレンズバリア部材とその駆動機構等を、主に最先端部分に配設されてなるレンズバリア付きズームレンズ鏡筒である。
【００１８】
この場合において、レンズバリア部材は、レンズ鏡筒の沈胴位置では先端のレンズ前面を保護する閉位置に駆動され、撮影準備位置では先端のレンズ前面から退避した開位置へと付勢駆動されるようになっている。
【００１９】
本発明の一実施形態のレンズ鏡筒の構成について、図１〜図５を用いて以下に説明する。
【００２０】
本実施形態のレンズ鏡筒１は、図１に示すように、カメラ本体（図示せず）に固定される固定枠２と、合焦動作時や沈胴動作時に光軸Ｏに沿う方向に進退駆動される四群枠１３と、固定枠２の内側に回動自在にかつ光軸Ｏに沿う方向に進退自在に配置されるカム枠５と、このカム枠５の内側においてバヨネット結合により配置されカム枠５に対して相対的に回動しかつカム枠５に対して光軸方向の移動が規制されているフロート枠６と、カム枠５及びフロート枠６により回転規制がなされた状態で光軸Ｏに沿う方向にそれぞれ進退駆動される移動枠である二群枠１１，三群枠１０と、本レンズ鏡筒１の最先端部分に配置され内部にレンズバリア駆動ユニット等を有してなる一群枠１２と、固定枠２の後端に固定され撮像素子２６を実装した電気基板等からなる撮像ユニット２５が固設される保持プレート１５等によって構成される。
【００２１】
本レンズ鏡筒１の撮影光学系は、一群枠１２に保持される一群レンズ（図示せず）と、二群枠１１に保持される二群レンズ２２と、三群枠に保持される三群レンズ２３と、四群枠１３に保持されるフォーカシングレンズである四群レンズ２４とによって構成される。
【００２２】
固定枠２は、円筒状に形成されており、その内周部に光軸Ｏに対して傾斜する方向に形成される傾斜カム溝部と円周に沿う方向に形成される円周溝部とが連接してなるカム溝２ｂや、光軸Ｏに沿う方向に形成される直進溝２ｃ等を有している。
【００２３】
固定枠２の外周部には、撮影光学系のズーミング動作をおこなうためのズーム駆動源であるズームモータと、このズームモータの駆動力を伝達するギヤー列，ロングギヤー２ａ等からなるズーミングユニットと、撮影光学系のフォーカシング動作をおこなうためのフォーカス駆動源であるフォーカスモータ，フォーカスモータの駆動力を伝達するギヤー列，送りねじ及びガイド軸等からなるフォーカシングユニット１８とが配設されている。
【００２４】
ズーミングユニットは、ズームモータにより本レンズ鏡筒１の撮影光学系のうちズーミング動作に寄与するズーム光学系（一群レンズ，二群レンズ２２，三群レンズ２３）をそれぞれ保持するレンズ保持枠（１２，１１，１０）を光軸Ｏに沿う方向に進退駆動させるズーム駆動機構であり、さらに、本レンズ鏡筒１を撮影待機状態から沈胴状態へと駆動させる沈胴動作をもおこなう。
【００２５】
フォーカシングユニット１８は、フォーカスモータにより本レンズ鏡筒１の撮影光学系のうちフォーカシング動作に寄与するフォーカシング光学系（四群レンズ２４）を光軸Ｏに沿う方向に駆動するフォーカス駆動機構としての役目をしている。
【００２６】
なお、ズーミングユニットのロングギヤー２ａは、特に図示されていないが、光軸Ｏに平行となる方向に沿って歯スジが配置され、固定枠２の内周部に歯面（歯部）が露呈した状態で回動自在に支持されている。
【００２７】
カム枠５は、円筒状に形成され、固定枠２の内周部に回動及び進退自在な状態で嵌入されている。カム枠５の外周側後端には、固定枠２のカム溝２ｂに嵌入するカムフォロワ５ｅと、ズーミングユニットのロングギヤー２ａに噛合するギヤー部５ａとが形成されている。これにより、カム枠５は、固定枠２に対して回転しながら光軸Ｏに沿う方向に進退自在となっている。
【００２８】
また、カム枠５の内周部には、光軸Ｏに対して傾斜する方向に形成される一群用カム溝５ｂ，二群用カム溝５ｃ，三群用カム溝５ｄが形成されている。
【００２９】
フロート枠６は、円筒状に形成されており、後端外周部に固定枠２の直進溝２ｃに嵌入するガイド突起部６ａを有している。また、フロート枠６は、光軸Ｏに沿う方向に内外周を貫通するように形成される二群用直進溝６ｂ，三群用直進溝６ｃと、光軸Ｏに沿う方向に外周面上に形成される有底の一群用直進溝６ｄとを有している。
【００３０】
このフロート枠６は、カム枠５の内側に配置される一群枠１２の内周部に嵌入した状態に配置される。このとき、フロート枠６のガイド突起部６ａが固定枠２の直進溝２ｃに嵌入している。これにより、当該フロート枠６は、固定枠２により光軸方向にのみ進退するようになっている。また、フロート枠６の一群用直進溝６ｄには、一群枠１２のガイド突部（図示せず）が嵌入している。これにより、当該フロート枠６は、一群枠１２を進退自在に支持すると共に回転を規制している。
【００３１】
なお、フロート枠６は、カム枠５に対して相対的に回転自在となっており、かつ光軸Ｏに沿う方向に対しては、カム枠５と一体に移動するようにバヨネット結合している。
【００３２】
三群枠１０は、フロート枠６の内周側に嵌入した状態で配置される。三群枠１０は、略中央部分に三群レンズ２３を保持する枠部材１０ａと、この枠部材１０ａから外方に延出する三本の腕部材１０ｂとによって構成される。三本の腕部材１０ｂには、外方に向けて突設されるカムフォロワ４２が形成されている。このカムフォロワ４２は、フロート枠６の三群用直進溝６ｃを介してカム枠５の三群用カム溝５ｄに嵌入しカム結合している。これにより、三群枠１０は、カム枠５が回転するとカムフォロワ４２が三群用カム溝５ｄに沿って移動することになるが、カムフォロワ４２と三群用直進溝６ｃのそれぞれの係合により、三群枠１０は、フロート枠６によってカム枠５に対する回動が規制されている。したがって、三群枠１０は、カム枠５が回転すると、回動が規制された状態で光軸Ｏに沿う方向に進退するようになっている。
【００３３】
また、三群枠１０には、枠部材１０ａの外周面上に光軸Ｏに沿う方向であって前方に向けて延出するように一体に形成され第２の腕部であるバリアレバー押圧腕部５２が配設されている。このバリアレバー押圧腕部５２は、三群枠１０が沈胴動作により光軸方向に進退する際に、後述するレンズバリア駆動ユニット５０の駆動レバー５１に作用して、レンズバリアの開閉をおこなうために設けられるものである。その作用の詳細は後述する。
【００３４】
二群枠１１は、三群枠１０と同様にフロート枠６の内周側に嵌入した状態で、三群枠１０の前方の位置に配置される。二群枠１１は、略中央部分に二群レンズ２２を保持する枠部材１１ｂと、この枠部材１１ｂから外方に向けて突設されるガイド突部１１ａと、このガイド突部１１ａ上において外方に突設されるカムフォロワ４３とを有している。
【００３５】
ガイド突部１１ａは、フロート枠６の二群用直進溝６ｂに嵌入するようになっており、カムフォロワ４３は二群用直進溝６ｂを挿通して、その外方に設けられるカム枠５の二群用カム溝５ｃに摺動可能に嵌入している。したがってこれにより、二群枠１１は、フロート枠６によって回転が規制された状態で、カム枠５によって進退駆動されるようになっている。
【００３６】
一群枠１２は、二群枠１１，三群枠１０と同様にカム枠５の内周側に嵌入した状態で、二群枠１１の前方の位置に配置される。一群枠１２は、円筒状に形成され、略中央部分で一群レンズ（図示せず）を保持する枠部材１２ａと、この枠部材１２ａの最先端部分に配設されるレンズバリア駆動ユニット５０と、前面カバー部材１２ｄ等によって構成されている。
【００３７】
枠部材１２ａの外周側後端部には、外方に向けて突設されカム枠５の一群用カム溝５ｂに嵌合するカムフォロワ４４が、内周方向において等間隔に複数（例えば三つ）形成されている。また、枠部材１２ａの内周面には、カムフォロワ４４の配置されている位置に対応する部位に、光軸Ｏに沿う方向に形成され、内方に向けて突設されるガイド突部（図示せず）が形成されている。このガイド突部は、フロート枠６の一群用直進溝６ｄに嵌入するようになっている。これにより、一群枠１２は、フロート枠６によって回転が規制された状態で、カムフォロワ４４と一群用カム溝５ｂとのカム結合によって光軸Ｏに沿う方向に進退駆動されるようになっている。
【００３８】
ここで、レンズバリア駆動ユニット５０の詳細構成について、図２，図３，図４，図５等を用いて以下に説明する。なお、図２，図３においては、図面の煩雑化を避けるために、一群枠１２及び三群枠１０のみを取り出して示し、三群枠１０の前方に配置されるべき二群枠１１や遮光落下枠１４の図示は省略している。また、図３においては、一対のレンズバリア部材のうちの一方のレンズバリア部材のみを示している。ただし、図２の実線で示すレンズバリア部材２７ａは開位置にある状態を示し、また図２の二点鎖線で示すレンズバリア部材２７ａは閉位置にある状態を示している。
【００３９】
本実施形態のレンズ鏡筒１におけるレンズバリア駆動ユニット５０は、一群枠１２の枠部材１２ａの最先端部の所定の部位に主に配設されている。
【００４０】
この一群枠１２の枠部材１２ａの後方側の一端が開口した略円筒状の部材からなり、前方側の一端は略中央部分に撮影光束を通過させる小径開口１２ｆが形成されている。枠部材１２ａの小径開口１２ｆの外周縁部には、光軸Ｏに沿う方向の断面が凹形状となる略ドーナツリング状の前面凹部１２ｂが形成されている。レンズバリア駆動ユニット５０の主な構成部材は、この前面凹部１２ｂ内に収納されている。
【００４１】
レンズバリア駆動ユニット５０は、一群レンズ２１の前面を開閉自在とする一対のレンズバリア部材２７ａ，２７ｂ（図３では一方の２７ｂは図示を省略している）と、レンズバリア部材２７ａ，２７ｂを所定のときに閉位置に駆動するために設けられた駆動レバー５１を有するバリア駆動部材であるバリア駆動板１２ｅと、バリア駆動板１２ｅを所定の範囲で回動するように支持するバリア基台１２ｃと、レンズバリア部材２７ａ，２７ｂの閉状態を維持するために設けられ緊縮性のコイルばね等の弾性部材からなる閉じばね５３ａ，５３ｂと、レンズバリア部材２７ａ，２７ｂを開状態とする方向にバリア駆動板１２ｅを回動付勢する緊縮性のコイルばね等の弾性部材からなる開きばね５４と、本レンズ鏡筒１の最前面に配設され上記レンズバリア駆動ユニット５０の外面を覆う前面カバー部材１２ｄ等によって構成されている。
【００４２】
一対のレンズバリア部材２７ａ，２７ｂは、それぞれが略扇形状の薄板部材からなり、各基端部近傍には閉じばね係止部２７ａａ，２７ｂａと、支持孔２７ａｂ，２７ｂｂが形成されている。一対のレンズバリア部材２７ａ，２７ｂのそれぞれは、光軸に関して対称に全く同形状からなるものであり、対象に配置されているものである。
【００４３】
なお、一方のレンズバリア部材２７ｂは、上述したように図３では図示を省略しているので、その閉じばね係止部２７ｂａ，支持孔２７ａｂ，２７ｂｂについても図３では図示していない。詳しくは図４を参照のこと。
【００４４】
レンズバリア部材２７ａの閉じばね係止部２７ａａには、閉じばね５３ａの一端が架けられる。レンズバリア部材２７ａの支持孔２７ａｂは、バリア基台１２ｃの支持軸１２ｃａに回動自在に軸支されている。
【００４５】
同様に、レンズバリア部材２７ｂの閉じばね係止部２７ｂａには、閉じばね５３ｂの一端が架けられる。レンズバリア部材２７ｂの支持孔２７ｂｂは、バリア基台１２ｃの支持軸１２ｃａに回動自在に軸支されている（図４参照）。
【００４６】
バリア駆動板１２ｅは、略円環形状の板状部材からなり、その後面側に後方に向けて光軸Ｏに沿う方向に延出するように形成される第１の腕部材である駆動レバー５１と、閉じばね係止部１２ｅａ，１２ｅｂと、開きばね係止部１２ｅｃとを有している。
【００４７】
バリア駆動板１２ｅは、略円環形状の板状部材からなり、その後面側に後方に向けて光軸Ｏに沿う方向に延出するように形成される第１の腕部材である駆動レバー５１と、閉じばね係止部１２ｅａ，１２ｅｂと、開きばね係止部１２ｅｃとを有している。そして、略円環形状内部の開口内部には、開口内周縁面から外に向かって切り欠かれた一対の凹部が設けられ、これら凹部それぞれの一部にバリア部材２７ａ，２７ｂの閉じばね係止部２７ａａ，２７ｂａそれぞれと当接してバリア部材２７ａ，２７ｂを開方向に駆動するための当接端面１２ｆａ，１２ｆｂを有している。
【００４８】
駆動レバー５１は、斜面部５１ａを有して形成されている。この斜面部５１ａには、本レンズ鏡筒１の沈胴動作時に三群枠１０が進退するのに際してバリアレバー押圧腕部５２が当接または離間するようになっている。そして、斜面部５１ａが、バリアレバー押圧腕部５２により押圧されたときには、バリア駆動板１２ｅを所定方向（図４における反時計方向。同図矢印Ｒ１方向）に回動させてレンズバリア部材２７ａ，２７ｂを閉状態とするようになっている。
【００４９】
換言すると、三群枠１０のバリアレバー押圧腕部５２は、本レンズ鏡筒１が沈胴位置と撮影準備位置との間で進退するのに連動して光軸Ｏに沿う方向に移動するように設けられているものである。そして、本レンズ鏡筒１が沈胴位置へ移動する時、バリアレバー押圧腕部５２は、駆動レバー５１に係合してバリア駆動板１２ｅを回動させてレンズバリア部材２７ａ，２７ｂを閉位置に位置させる機能を有する。その一方で、バリアレバー押圧腕部５２は、本レンズ鏡筒１が撮影準備位置へ移動する時、駆動レバー５１との係合を解除してレンズバリア部材２７ａ，２７ｂを開位置に位置させる機能を有する。
【００５０】
バリア駆動板１２ｅの閉じばね係止部１２ｅａには、閉じばね５３ａの他端が架けられる。バリア駆動板１２ｅの閉じばね係止部１２ｅｂには、閉じばね５３ｂの他端が架けられる。また、バリア駆動板１２ｅの開きばね係止部１２ｅｃには、開きばね５４の一端がかけられる。
【００５１】
閉じばね５３ａは、一端がレンズバリア部材２７ａの閉じばね係止部２７ａａに、他端がバリア駆動板１２ｅの閉じばね係止部１２ｅａにそれぞれ懸架されている。これにより、閉じばね５３ａは、レンズバリア部材２７ａを支持軸１２ｃａに軸支される支持孔２７ａｂを回動中心として閉じ方向、即ち図４に示す時計方向に付勢している。
【００５２】
同様に、閉じばね５３ｂは、一端がレンズバリア部材２７ｂの閉じばね係止部２７ｂａに、他端がバリア駆動板１２ｅの閉じばね係止部１２ｅｂにそれぞれ懸架されている。これにより、閉じばね５３ｂは、レンズバリア部材２７ｂを支持軸１２ｃｂに軸支される支持孔２７ｂｂを回動中心として閉じ方向、即ち図４における時計方向に付勢している（図４参照）。
【００５３】
換言すると、レンズバリア部材２７ａ，２７ｂは、閉じばね５３ａ，５３ｂの付勢力によってバリア基台１２ｃの支持軸１２ｃａ，１２ｃｂに軸支される支持孔２７ａｂ，２７ｂｂを回動中心として図４において時計方向に回動付勢されている。このとき、レンズバリア部材２７ａ，２７ｂは、例えばバリア駆動板１２ｅに設けられた所定のストッパー部（図示せず）によって、その回動付勢が規制され、よって、所定の閉位置に位置決めされるようになっている。
【００５４】
開きばね５４は、一端がバリア駆動板１２ｅの開きばね係止部１２ｅｃに、他端がバリア基台１２ｃの開きばね係止部１２ｃｃにそれぞれ懸架されている。これにより、開きばね５４は、バリア駆動板１２ｅをバリア基台１２ｃに対して図４における時計方向（同図の矢印Ｒ２方向）に付勢している。
【００５５】
換言すると、バリア駆動板１２ｅは、開きばね５４の付勢力によってバリア基台１２ｃに対して光軸周りに図４における時計方向（同図の矢印Ｒ２方向）に回動付勢されている。このとき、バリア駆動板１２ｅは、例えばバリア基台１２ｃに設けられた所定のストッパー部１２ｃｄによって、その回動付勢が規制され、よって、所定の閉位置に位置決めされるようになっている。
【００５６】
バリア基台１２ｃは、略円環形状の板状部材からなり、略中央部に略四角形状に形成されレンズバリアが開状態にあるときに被写体光束を通過させるための開口１２ｃｆが形成されている。また、バリア基台１２ｃの後面側には、レンズバリア部材２７ａ，２７ｂを回動自在に軸支する支持軸１２ｃａ，１２ｃｂと、開きばね５４の他端が架けられる開きばね係止部１２ｃｃとを有している。
【００５７】
バリア基台１２ｃは、枠部材１２ａの前面に対して二本のビス４９等によって固定されるようになっている。これによりバリア基台１２ｃは、枠部材１２ａの前面凹部１２ｂの前面を覆う蓋部材の役目をしている。
【００５８】
この状態において、バリア基台１２ｃは、レンズ駆動板１２ｅを枠部材１２ａの前面凹部１２ｂ内において光軸Ｏを回動中心として所定の範囲内で回動自在に支持している。
【００５９】
そして、バリア基台１２ｃが枠部材１２ａの前面に固定された状態において、一群枠１２の最前面側には、外周縁部を覆うように前面カバー部材１２ｄが配設される。レンズバリア駆動ユニット５０は、この前面カバー部材１２ｄによって、その外面が覆い隠されるようになっている。これにより、前面カバー部材１２ｄは、本レンズ鏡筒１の前面側の外装部材であり、装飾部材としての役目もしている。
【００６０】
このように構成された本実施形態のレンズ鏡筒１において、沈胴動作に連動してレンズバリア部材２７ａ，２７ｂが開閉する際の作用について、主に図４，図５，図６，図７を用いて以下に説明する。
【００６１】
まず、本レンズ鏡筒１が沈胴状態にあるときには、図４，図６に示すように、レンズバリア駆動ユニット５０のレンズバリア部材２７ａ，２７ｂは、バリア基台１２ｃの開口１２ｃｆを遮蔽して被写体光を遮る閉位置に配置されている。
【００６２】
この場合において、バリア駆動板１２ｅの駆動レバー５１には、三群枠１０のバリアレバー押圧腕部５２が当接して押圧の作用をしており、これによって、バリア駆動板１２ｅは、開きばね５４の付勢力に抗して図４に示す状態、即ち図４において反時計方向（同図矢印Ｒ１方向）に所定量だけ回動した状態となっている。
【００６３】
本レンズ鏡筒１が図４，図６に示すように沈胴状態にあるときに、操作者は例えばメインスイッチをオン操作することで、当該レンズ鏡筒１が適用されるカメラ（特に図示せず）を使用状態にすることができる。
【００６４】
この場合において、メインスイッチのオン操作によって生じるオン信号を受けて、本レンズ鏡筒１は、沈胴状態（図４，図６）から使用状態（図５，図７）へと変位することになる。
【００６５】
具体的には、例えば上記オン信号を受けて、本レンズ鏡筒１の制御回路（図示せず）はズーミングユニットを制御してズームモータを駆動させる。すると、このズームモータの駆動力は、所定の動力伝達機構を介してロングギヤー２ａを回転駆動する。このロングギヤー２ａは、カム枠５のギヤー部５ａに噛合している。したがって、当該駆動力はギヤー部５ａを介してカム枠５に伝達されて、当該カム枠５を回転させる。こうしてカム枠５が回転すると、カム枠５はカムフォロワ５ｅと固定枠２のカム溝２ｂとのカム結合により回転しながら光軸Ｏに沿う方向に繰り出される。このとき、フロート枠６もカム枠５と共に一体に光軸Ｏに沿う方向に移動する。
【００６６】
このとき、カムフォロワ５ｅが固定枠２のカム溝２ｂの傾斜カム溝部に沿って移動する期間では、カム枠５は、回転しながら沈胴状態の位置（図４，図６）から撮影待機状態におけるワイド端位置（図５，図７）まで繰り出される。この繰り出し動作の際には、カム枠５の回転によって、一群枠１２，二群枠１１，三群枠１０も、それぞれが光軸Ｏに沿う方向であって前方に向けて繰り出される。このときの一群枠１２と三群枠１０との繰り出し量の違いから両者は次第に離間することになる。
【００６７】
こうして一群枠１２と三群枠１０とが離間すると、一群枠１２のレンズバリア駆動ユニット５０の駆動レバー５１と、三群枠１０のバリアレバー押圧腕部５２との間も離間することになり、よってバリアレバー押圧腕部５２による駆動レバー５１への押圧の作用も解除される。すると、これにより駆動レバー５１が設けられるバリア駆動板１２ｅは、開きばね５４の付勢力によって、図５に示す状態、即ち図５において時計方向（同図矢印Ｒ２方向）に所定量だけ、つまりストッパー部１２ｃｄにて規制されるまで回動する。
【００６８】
このバリア駆動板１２ｅの回動に伴って、閉じばね５３ａ，５３ｂの各他端が架けられている閉じばね係止部１２ｅａ，１２ｅｂも同方向に回動することになる。したがって、これにより閉じばね５３ａ，５３ｂの付勢力は、レンズバリア部材２７ａ，２７ｂに対して作用しなくなると共に、当接端面１２ｆａ，１２ｆｂは、レンズバリア部材２７ａ，２７ｂの基端部近傍の閉じばね係止部２７ａａ，２７ｂａを押圧する。これにより、レンズバリア部材２７ａ，２７ｂは、支持孔２７ａｂ，２７ｂｂを回動中心として開き方向、即ち図５において反時計方向に押圧される。したがって、これによりレンズバリア部材２７ａ，２７ｂは、図５に示すように、所定の開位置に配置されると共に、開口１２ｃｆが開放された状態になる。この状態は、開きばね５４の付勢力により維持される。このとき、二つの閉じばね５３ａ，５３ｂの状態は自由長かもしくは自由長より僅かに伸ばされた状態であり、その力量は零若しくは零よりわずかに大きい装備力量となっている。当然、このとき、開きばね５４はこれら二つの開閉ばねの力量に勝っている。
【００６９】
こうして本レンズ鏡筒１は、撮影待機状態に変位する。図５，図７に示す状態は、撮影待機状態にあって、ワイド端位置に設定した状態である。本レンズ鏡筒１は、このワイド位置から、さらに所定の繰り出し繰り込み動作がなされて一群枠１２，二群枠１１，三群枠１０が所定の位置に配置されることにより、テレ端位置までの間でズーミングが行われるようになっている。このズーミング動作の間は、一群枠１２と三群枠１０との位置関係は、常に所定の距離だけ離間した状態となっている。したがって、ズーミング動作中には、一群枠１２側の駆動レバー５１と三群枠１０側のバリアレバー押圧腕部５２とが当接するようなことはなく、したがって、撮影待機状態においては、ワイド端位置からテレ端位置の間でレンズバリア部材２７ａ，２７ｂは、常に開きばね５４の付勢力によって所定の開位置が維持される。
【００７０】
一方、本レンズ鏡筒１において、撮影準備状態のワイド位置から沈胴動作がおこなわれて沈胴位置へと変位する際には、上述の作用とは逆の作用が実行される。
【００７１】
即ち、上述の作用と同様に、ズームモータが駆動されてロングギヤー２ａが回転駆動されると、このロングギヤー２ａとギヤー部５ａとの噛合により、その駆動力はカム枠５を回動させる。
【００７２】
こうしてカム枠５が回転すると、カム枠５はカムフォロワ５ｅと固定枠２のカム溝２ｂとのカム結合により回転しながら光軸Ｏに沿う方向に繰り込まれる。このとき、フロート枠６もカム枠５と共に一体に同方向に移動する。
【００７３】
そして、カム枠５は、撮影待機状態におけるワイド端位置（図５，図７）から沈胴状態の位置（図４，図６）まで繰り込まれる。この繰り込み動作の際には、カム枠５の回転によって、一群枠１２，二群枠１１，三群枠１０も、それぞれが光軸Ｏに沿う方向であって後方に向けて繰り込まれる。これにより一群枠１２と三群枠１０とは互いに接近し、一群枠１２側の駆動レバー５１と、三群枠１０側のバリアレバー押圧腕部５２とが当接し、バリアレバー押圧腕部５２が駆動レバー５１を押圧する。すると、これにより駆動レバー５１が設けられるバリア駆動板１２ｅは、開きばね５４の付勢力に抗して、図４において反時計方向（同図矢印Ｒ１方向）に所定量だけ回動する。
【００７４】
このバリア駆動板１２ｅの回動に伴って、閉じばね５３ａ，５３ｂの各他端が架けられている閉じばね係止部１２ｅａ，１２ｅｂも同方向に回動することになる。したがって、これにより、閉じばね５３ａ，５３ｂの両端の懸架部が相対的に自由長のときより離間してチャージされ閉じばね５３ａ，５３ｂの付勢力は、レンズバリア部材２７ａ，２７ｂに対して作用して、これらレンズバリア部材２７ａ，２７ｂをそれぞれ閉じ方向、即ち支持軸１２ｃａ，１２ｃｂに軸支される支持孔２７ａｂ，２７ｂｂを回動中心として図４における時計方向に付勢する。
【００７５】
したがって、これにより、レンズバリア部材２７ａ，２７ｂは、図４に示すように、所定の閉位置に配置されると共に、開口１２ｃｆは遮蔽された状態になる。この状態は、駆動レバー５１に対するバリアレバー押圧腕部５２の作用が解除されない限り、即ち一群枠１２と三群枠１０とが離間した位置関係にならない限り維持される。
【００７６】
なお、このようにレンズバリア部材２７ａ，２７ｂが閉位置にある状態においては、レンズバリア部材２７ａ，２７ｂに対して外部から外力を与えることにより、レンズバリア部材２７ａ，２７ｂを閉じばね５３ａ，５３ｂの付勢力に抗して開状態とすることは可能である。しかしながら、レンズバリア部材２７ａ，２７ｂに対しては、閉じばね５３ａ，５３ｂの緊縮方向への付勢力によって閉じ方向へ付勢力が常に働いているので、外力が取り除かれると、当該レンズバリア部材２７ａ，２７ｂは閉位置に復帰し、その閉状態は維持される。
【００７７】
以上説明したように上記一実施形態によれば、レンズ鏡筒１の先端側に配置されるレンズバリア部材２７ａ，２７ｂの開閉動作をおこなうための駆動部材（駆動レバー５１とバリアレバー押圧腕部５２）を、当該レンズ鏡筒１を構成する複数の枠部材のうち光軸Ｏに沿う方向に移動するレンズ保持枠である一群枠１２と三群枠１０とに設けるように構成している。これにより、レンズ鏡筒１は、沈胴状態と撮影準備状態との間で変位させる際におこなわれる一群枠１２と三群枠１０とのそれぞれの進退移動に連動させて、レンズバリア部材２７ａ，２７ｂの開閉動作がおこなわれるようにしている。そして、レンズ鏡筒１が撮影準備状態にあるときのズーミング動作時には、レンズバリア部材２７ａ，２７ｂは常に所定の開位置が維持されるように構成されている。
【００７８】
したがって、本実施形態のレンズ鏡筒１においては、レンズバリア部材２７ａ，２７ｂの確実な開閉動作を確保することができると同時に、レンズ鏡筒１の内部においてレンズバリア駆動ユニット５０等の構成部材が占有する空間を小さくすることができる。これによって、レンズ鏡筒１自体の小型化に寄与することができる。さらに、このレンズ鏡筒１を適用するカメラの小型化にも寄与し得る。
【００７９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８０】
【図１】本発明の一実施形態のレンズ鏡筒の構成を示す分解斜視図。
【図２】本実施形態のレンズ鏡筒におけるレンズバリア開閉機構を含む主要構成部を取り出して示す要部分解斜視図。
【図３】本実施形態のレンズ鏡筒において図２で示す主要構成のうちレンズバリア開閉機構を分解して示す要部分解斜視図。
【図４】本実施形態のレンズ鏡筒におけるレンズバリア開閉機構を後方側から見た際においてレンズバリアの全閉状態を示す正面図。
【図５】本実施形態のレンズ鏡筒におけるレンズバリア開閉機構を後方側から見た際においてレンズバリアの全開状態を示す正面図。
【図６】本実施形態のレンズ鏡筒の一部を切り欠いて内部構造の一部を示し、当該レンズ鏡筒の沈胴状態を示す側面図。
【図７】本実施形態のレンズ鏡筒の一部を切り欠いて内部構造の一部を示し、当該レンズ鏡筒の撮影準備状態（ワイド位置）を示す側面図。
【符号の説明】
【００８１】
１……レンズ鏡筒
２……固定枠
５……カム枠
６……フロート枠
１０……三群枠
１１……二群枠
１２……一群枠
１２ａ……枠部材
１２ｂ……前面凹部
１２ｃ……バリア基台
１２ｃａ，１２ｃｂ……支持軸
１２ｃｃ，１２ｅｃ……開きばね係止部
１２ｃｄ……ストッパー部
１２ｃｆ……開口
１２ｄ……前面カバー部材
１２ｅ……バリア駆動板
１２ｅａ，１２ｅｂ，２７ａａ，２７ｂａ……閉じばね係止部
１２ｆ……小径開口
１３……四群枠
１５……保持プレート
２１……一群レンズ
２２……二群レンズ
２３……三群レンズ
２４……四群レンズ
２５……撮像ユニット
２６……撮像素子
２７ａ，２７ｂ……レンズバリア部材
２７ａｂ，２７ｂｂ……支持孔
４２，４３，４４……カムフォロワ
４９……ビス
５０……レンズバリア駆動ユニット
５１……駆動レバー
５１ａ……斜面部
５２……バリアレバー押圧腕部
５３ａ，５３ｂ……閉じばね
５４……開きばね
【図１】
2009169178.tif 000003
【図２】
2009169178.tif 000004
【図３】
2009169178.tif 000005
【図４】
2009169178.tif 000006
【図５】
2009169178.tif 000007
【図６】
2009169178.tif 000008
【図７】
2009169178.tif 000009